(57)【要約】【課題】車両用交流発電機の出力電圧の安定性とエンジン回転の安定性とを両立させることができ、簡素な構成であってコストダウンを図ることができる車両用発電制御装置を提供すること。【解決手段】車両用発電制御装置２は、励磁巻線１０２への励磁電流の供給を断続するＭＯＳ−ＦＥＴ２０１と、励磁巻線１０２に流れる励磁電流を検出する励磁電流検出回路２０７と、車両用発電機１の出力電圧を第１の設定値Ｖregに制御する際に、励磁巻線１０２に流れる励磁電流を制限する励磁電流制御を行うとともに、ＭＯＳ−ＦＥＴ２０１の駆動デューティの増加速度を制限する徐励制御を行う発電電圧・励磁電流制御回路２０６とを備える。発電電圧・励磁電流制御回路２０６は、車両用発電機１の出力電圧が第１の設定値Ｖregよりも低い第２の設定値ＶＬ１より低くなったときに励磁電流制御を解除し、さらに低い第３の設定値ＶＬ２よりも低くなったときに徐励制御を解除する。【選択図】図１
2010088239.tif 000002
【特許請求の範囲】
【請求項１】
車両用発電機の励磁巻線に流れる励磁電流を断続して前記車両用発電機の発電状態を制御する車両用発電制御装置であって、
前記励磁巻線への励磁電流の供給を断続するスイッチング素子と、
前記励磁巻線に流れる励磁電流を検出する励磁電流検出手段と、
前記車両用発電機の出力電圧を第１の設定値に制御する際に、前記励磁巻線に流れる励磁電流を制限する励磁電流制御を行うとともに、前記スイッチング素子の駆動デューティの増加速度を制限する徐励制御を行う制御手段と、
を備え、前記制御手段は、前記車両用発電機の出力電圧が前記第１の設定値よりも低い第２の設定値より低くなったときに前記励磁電流制御を解除し、前記第２の設定値よりも低い第３の設定値よりも低くなったときに前記徐励制御を解除することを特徴とする車両用発電制御装置。
【請求項２】
請求項１において、
前記励磁電流制御は、前記励磁電流検出手段によって検出する励磁電流が励磁電流制御目標値に近づくように前記励磁電流を制限することにより行われることを特徴とする車両用発電制御装置。
【請求項３】
請求項１において、
前記励磁電流制御は、前記スイッチング素子の駆動デューティを制限することにより行われることを特徴とする車両用発電制御装置。
【請求項４】
請求項１〜３のいずれかにおいて、
前記第２の設定値は、エンジンを制御するエンジン制御装置以外の電気負荷が正常に動作する範囲の下限値以上に設定されることを特徴とする車両用発電制御装置。
【請求項５】
請求項１〜３のいずれかにおいて、
前記第３の設定値は、エンジンを制御するエンジン制御装置の動作が保証される最低動作電圧以上に設定されることを特徴とする車両用発電制御装置。
【請求項６】
請求項１〜６のいずれかにおいて、
前記徐励制御における前記駆動デューティの増加速度は、前記車両用発電機の出力電圧が前記第２の設定値よりも高いときよりも低いときの方が大きな値に設定されることを特徴とする車両用発電制御装置。
【請求項７】
請求項１〜６のいずれかにおいて、
前記徐励制御における前記駆動デューティは、最新の前記駆動デューティを含んで徐励時間において前記駆動デューティをなまし平均化した値に基づいて設定されることを特徴とする車両用発電制御装置。
【請求項８】
請求項６において、
前記徐励制御における前記駆動デューティは、最新の前記駆動デューティを含んで徐励時間において前記駆動デューティをなまし平均化した値に基づいて設定され、
前記駆動デューティの増加速度の切り替えは、前記駆動デューティを平均化する前記徐励時間を切り替えることより行われることを特徴とする車両用発電制御装置。
【発明の詳細な説明】
【技術分野】
【０００１】
本発明は、乗用車やトラック等に搭載される車両用発電機の発電制御を行う車両用発電制御装置に関する。
【背景技術】
【０００２】
近年、車両の燃費向上のため、低アイドル化や低フリクション化が進んでおり、補機の作動によるトルク変動が、エンジン回転変動に大きく影響するようになってきている。エンジン回転の安定化を図る技術としては、アイドル時に車両用発電機の発電を抑制して車両用発電機のトルクを制限することにより、アイドル安定化を図るものが知られている。その際、電気負荷量が大きいときには発電の抑制によりバッテリ電圧が低下するが、このときにバッテリの充電状態が良好な場合は問題ないが、過度に放電していたり、バッテリが劣化して内部抵抗が大きくなっている状態、あるいは、バッテリ端子が接触不良の状態では、バッテリから動作電力が供給される車載機器の電源電圧が大きく低下し、例えば１０Ｖ程度まで下がると、車載機器が誤動作するなどの不具合が発生する。
【０００３】
このような発電抑制の弊害に対処する従来技術として、バッテリ電圧が設定電圧以下に低下した場合には、トルク制限のための発電抑制を解除する手法が知られている（例えば、特許文献１参照。）。この従来技術によると、バッテリ電圧が電気機器が異常となる電圧以下に低下する前に発電状態が回復するため、バッテリ電圧の過度の低下はなくなる。
【０００４】
また、その他の従来技術としては、発電機電圧と最低維持電圧との偏差に応じた制御量で車両用発電機を制御する手法（例えば、特許文献２参照。）が知られている。
【０００５】
また、車両用発電機のトルクの急激な変動を制限する従来の徐励回路を、耐久性の向上に有利で１チップ構成に適したなデジタル制御回路を用いて構成する従来技術が知られている（例えば、特許文献３、４参照。）。
【特許文献１】特許第３２８３３２５号公報（第２−３頁、図１−４）
【特許文献２】特開２００６−２４６５７４号公報（第５−１２頁、図１−５）
【特許文献３】特開昭６２−６４２９９号公報（第５−２３頁、図１−６）
【特許文献４】特開平７−１７７６７８号公報（第２−４頁、図１−６）
【発明の開示】
【発明が解決しようとする課題】
【０００６】
ところで、特許文献１に開示された従来技術では、通常の電圧制御モードと外部装置による発電抑制制御モードを繰り返し、励磁電流駆動のデューティが不安定となり、励磁電流の脈動すなわち車両用発電機のトルクの脈動が大きくなって、車両用発電機のトルクの変動でアイドル時のエンジン回転が不安定になるといった問題があった。
【０００７】
また、特許文献２に開示された従来技術では、回路が複雑になってコストアップを招くという問題があった。
【０００８】
また、特許文献３、４に開示された従来技術では、複雑な回路構成となっており、回路規模が増大する上に、検査時間も増大するのでコストアップを招くという問題があった。しかも、徐励時間の変更に対しても、回路構成を変更する必要があり、徐励時間を車両状態に応じて適宜変更する場合には適しているとはいえなかった。また、最近主流となっている記述言語によるハードロジックの設計に対しても、複雑なロジック構成のため対応できないというデメリットがあった。
【０００９】
本発明は、このような点に鑑みて創作されたものであり、その目的は、車両用交流発電機の出力電圧の安定性とエンジン回転の安定性とを両立させることができ、簡素な構成であってコストダウンを図ることができる車両用発電制御装置を提供することにある。
【課題を解決するための手段】
【００１０】
上述した課題を解決するために、本発明の車両用発電制御装置は、車両用発電機の励磁巻線に流れる励磁電流を断続して車両用発電機の発電状態を制御する車両用発電制御装置であって、励磁巻線への励磁電流の供給を断続するスイッチング素子と、励磁巻線に流れる励磁電流を検出する励磁電流検出手段と、車両用発電機の出力電圧を第１の設定値に制御する際に、励磁巻線に流れる励磁電流を制限する励磁電流制御を行うとともに、スイッチング素子の駆動デューティの増加速度を制限する徐励制御を行う制御手段とを備え、制御手段は、車両用発電機の出力電圧が第１の設定値よりも低い第２の設定値より低くなったときに励磁電流制御を解除し、第２の設定値よりも低い第３の設定値よりも低くなったときに徐励制御を解除している。
【００１１】
車両用発電機の出力電圧が第３の設定値まで低下する前に第２の設定値まで低下したときに励磁電流制御を解除することにより出力電圧の低下を抑制して出力電圧の安定性を確保することができ、しかも、徐励制御を継続することにより、急激なトルク増大を抑制してエンジン回転の安定性を確保することができる。
【００１２】
また、上述した励磁電流制御は、励磁電流検出手段によって検出する励磁電流が励磁電流制御目標値に近づくように励磁電流を制限することにより行われることが望ましい。これにより、電気負荷投入時等に励磁電流を適切な値に制御することが可能となる。
【００１３】
また、上述した励磁電流制御は、スイッチング素子の駆動デューティを制限することにより行われることが望ましい。これにより、励磁電流制御と徐励制御とで処理内容を共通化することができ、構成の簡略化が可能となる。
【００１４】
また、上述した第２の設定値は、エンジンを制御するエンジン制御装置以外の電気負荷が正常に動作する範囲の下限値以上に設定されることが望ましい。これにより、各種の電気負荷の正常動作を確保することができる。
【００１５】
また、上述した第３の設定値は、エンジンを制御するエンジン制御装置の動作が保証される最低動作電圧以上に設定されることが望ましい。これにより、エンジン制御装置の安定的な動作を確実に確保することができる。
【００１６】
また、上述した徐励制御における駆動デューティの増加速度は、車両用発電機の出力電圧が第２の設定値よりも高いときよりも低いときの方が大きな値に設定されることが望ましい。これにより、車両用発電機の出力電圧が第１の設定値よりも低くなったときに徐励制御を行ってエンジン回転の安定性を確保することができるとともに、第２の設定値よりも低くなったときに速やかに第２の設定値まで上昇させることができる。
【００１７】
また、上述した徐励制御における前記駆動デューティは、最新の駆動デューティを含んで徐励時間において駆動デューティをなまし平均化した値に基づいて設定されることが望ましい。これにより、駆動デューティをなまし平均化した値に基づいて徐励制御を行うことにより、簡素な構成のロジックで徐励制御を実現することができ、低コストで検査が簡単な回路を実現することができる。
【００１８】
また、上述した徐励制御における駆動デューティは、最新の駆動デューティを含んで徐励時間において駆動デューティをなまし平均化した値に基づいて設定され、駆動デューティの増加速度の切り替えは、駆動デューティを平均化する徐励時間を切り替えることより行われることが望ましい。これにより、徐励時間を変更するだけで駆動デューティの増加速度を容易に切り替えることができ、この切り替え機構を含めて簡素な構成のロジックで徐励制御を実現することができる。
【発明を実施するための最良の形態】
【００１９】
以下、本発明を適用した一実施形態の車両用発電制御装置について、図面を参照しながら説明する。図１は、本発明を適用した一実施形態の車両用発電制御装置の構成を示す図であり、あわせてこの車両用発電制御装置と車両用発電機やバッテリ、電気負荷、ＥＣＵとの接続状態が示されている。
【００２０】
図１において、車両用発電制御装置２は、車両用発電機１の出力端子（Ｂ端子）の電圧が所定の調整電圧設定値（例えば１４Ｖ）になるように制御するためのものである。また、車両用発電制御装置２は、Ｂ端子以外に、通信端子（Ｃ端子）とグランド端子（Ｅ端子）を有している。Ｂ端子は、所定の充電線を介してバッテリ３や各種の電気負荷４に接続されている。Ｃ端子は、外部制御装置であるエンジン制御装置としてのＥＣＵ５に接続されている。Ｅ端子は、車両用発電機２のフレームに接続されている。なお、図１では、車両用発電制御装置２は、車両用発電機１と並行して図示したが、実際には車両用発電機１に内蔵されている。
【００２１】
車両用発電機１は、固定子に含まれる３相の固定子巻線１０１と、回転子に含まれる励磁巻線１０２と、固定子巻線１０１の３相出力を全波整流するために設けられた整流回路１０３とを含んで構成されている。この車両用発電機１の出力電圧の制御は、励磁巻線１０２に対する通電を車両用発電制御装置２によって適宜断続制御することにより行われる。
【００２２】
次に、車両用発電制御装置２の詳細構成および動作について説明する。図１に示すように、車両用発電制御装置２は、ＮチャネルＭＯＳ−ＦＥＴ２０１、環流ダイオード２０２、センス抵抗２０３、通信制御回路２０４、電源回路２０５、発電電圧・励磁電流制御回路２０６、励磁電流検出回路２０７、回転検出回路２０８を備えている。
【００２３】
ＭＯＳ−ＦＥＴ２０１は、励磁巻線１０２に直列に接続されており、オン状態のときに励磁巻線１０２に励磁電流が流れる。環流ダイオード２０２は、励磁巻線１０２に並列に接続されており、ＭＯＳ−ＦＥＴ２０１がオフ状態のときに励磁電流を環流させる。
【００２４】
電源回路２０５は、所定の動作電圧を生成する。発電電圧・励磁電流制御回路２０６は、車両用発電機１の出力電圧を一定に維持したり、ＭＯＳ−ＦＥＴ２０１の駆動デューティや励磁巻線１０２に流れる励磁電流を設定値以下に制限するなどの発電制御を行う。発電制御の内容や制御パラメータは、ＥＣＵ５から送られてくる通信フレームに含まれる発電制御信号に基づいて設定される。励磁電流検出回路２０７は、ＭＯＳ−ＦＥＴ２０１のソース電位に基づいて励磁巻線１０２に流れる励磁電流を検出する。ＭＯＳ−ＦＥＴ２０１のソースには励磁電流検出用のセンス抵抗２０３が接続されており、ＭＯＳ−ＦＥＴ２０１のソース・ドレイン間およびセンス抵抗２０３を介して励磁電流が流れたときに生じるセンス抵抗２０３の端子電圧に基づいて励磁電流検出回路２０７による励磁電流の検出が行われる。回転検出回路２０８は、固定子巻線１０１のいずれかの相に現れる相電圧を監視することにより、車両用発電機１の回転数を検出し、検出した回転数に対応する電圧を出力する。通信制御回路２０４は、Ｃ端子を介してＥＣＵ５との間で双方向のシリアル通信を行い、ＥＣＵ５から周期的に送られてくる通信フレームを受信する。また、通信制御回路２０４は、Ｃ端子を介してＥＣＵ５に向けて通信フレームを送信する。
【００２５】
上述したＭＯＳ−ＦＥＴ２０１がスイッチング素子に、励磁電流検出回路２０７が励磁電流検出手段に、発電電圧・励磁電流制御回路２０６が制御手段にそれぞれ対応している。
【００２６】
本実施形態の車両用発電制御装置２はこのような構成を有しており、次にその制御動作を説明する。
【００２７】
キースイッチ（図示せず）がオンされると、ＥＣＵ５から車両用発電制御装置２のＣ端子に向けてシリアル通信にて動作開始信号が送信される。Ｃ端子を介してＥＣＵ５から送られてくる動作開始信号を受信すると、通信制御回路２０４は、電源回路２０５に向けて電源オン信号を出力する。電源回路２０５は、入力される電源オン信号に応じて、各部に供給する動作電圧の生成を開始する。これにより、車両用発電制御装置２全体が所定の発電制御動作を開始する。具体的には、ＭＯＳ−ＦＥＴ２０１をＰＷＭ制御にて駆動することにより発電制御動作が行われる。例えば、この発電制御は、５ｍｓの周期で繰り返し実施される。
【００２８】
図２は、車両用発電制御装置２による発電制御の動作手順を示す流れ図である。この流れ図に示す一連の動作手順が５ｍｓの周期で繰り返され、ＭＯＳ−ＦＥＴ２０１の最新の励磁電流駆動デューティＦduty＿NEWの値がその都度更新される。以下、発電制御動作を各ステップ毎に詳細に説明する。
【００２９】
（ステップ１００１）
通信制御回路２０４は、調整電圧Ｖreg、励磁電流制御目標値ＩＦ＿MAX、Ｆduty制限目標値Ｆduty＿MAX、発電低下検出電圧設定値ＶＬ１、ＶＬ２、徐励時間ＬＲＳ＿S＿Hを含む発電制御信号をＥＣＵ５から受信する。ここで、調整電圧Ｖregは、目標とする調整電圧設定値（第１の設定値）である。励磁電流制御目標値ＩＦ＿MAXは、励磁電流を制限する際の励磁電流の上限値である。Ｆduty制限目標値Ｆduty＿MAXは、ＭＯＳ−ＦＥＴ２０１の駆動デューティ（オンオフする際のオンデューティ）の上限値である。発電低下検出電圧設定値ＶＬ１は、調整電圧Ｖregよりも低い値に設定された第２の設定値であり、車両用発電機１の出力電圧（発電機出力電圧ＶＢ）がこの設定値よりも低くなると励磁電流制御（励磁電流を制限する制御）が解除される。この発電低下検出電圧設定値ＶＬ１は、ＥＣＵ５以外の電気負荷４が正常に動作する範囲の下限値以上に設定される。発電低下検出電圧設定値ＶＬ２は、発電低下検出電圧設定値ＶＬ１よりもさらに低い値に設定された第３の設定値であり、発電機出力電圧ＶＢがこの設定値よりも低くなると徐励制御（ＭＯＳ−ＦＥＴ２０１の駆動デューティの増加速度を制限する制御）が解除される。この発電低下検出電圧設定値ＶＬ２は、ＥＣＵ５の動作が保証される最低動作電圧以上に設定される。徐励時間ＬＲＳ＿S＿Hは、励磁電流を上限値まで増加させる際に要する時間である。上述した各種の情報は、発電電圧・励磁電流制御回路２０６に送られる。これにより、発電電圧・励磁電流制御回路２０６によって、ＭＯＳ−ＦＥＴ２０１を駆動するの制御信号を生成する動作が開始される。
【００３０】
（ステップ１００２）
発電電圧・励磁電流制御回路２０６は、発電機出力電圧ＶＢと調整電圧Ｖregおよび定数Ｋ１に基づいて、発電機出力電圧ＶＢを調整電圧Ｖregに制御するために必要な励磁電流駆動デューティＦduty1を演算する。
【００３１】
（ステップ１００３）
また、発電電圧・励磁電流制御回路２０６は、励磁電流検出値ＩＦを励磁電流検出回路２０７から取得して、励磁電流制御目標値ＩＦ＿MAXと定数Ｋ２および前回の励磁電流駆動デューティＦduty＿OLDに基づいて、励磁電流を制御するために必要な励磁電流駆動デューティＦduty2を演算する。
【００３２】
（ステップ１００４）
次に、発電電圧・励磁電流制御回路２０６は、Ｆduty制限目標値Ｆduty＿MAX値と、ステップ１００２、１００３で演算した励磁電流駆動デューティＦduty1、Ｆduty2と、徐励制御デューティＦduty＿LRC+αとを比較し、最も小さい値を次回の励磁電流駆動デューティＦduty＿NEWに設定する。ここで、徐励制御デューティＦduty＿LRC+αとは、徐励制御を行う基準となる徐励制御記憶デューティＦduty＿LRC（詳細については後述する）に所定の増分（＋α）を加算した駆動デューティであり、例えば徐励制御記憶デューティＦduty＿LRCが２０％で、＋αが５％の場合には、徐励制御デューティＦduty＿LRC+αが２５％に設定される。このようにして励磁電流駆動デューティＦduty＿NEWを設定することにより、発電抑制が実施されない定常状態の場合、すなわち励磁電流制御目標値ＩＦ＿MAXが大きな値に設定され、かつＦduty制限目標値Ｆduty＿MAXも１００％の場合には、Ｆduty1＜Ｆduty＿LRC+α＜Ｆduty2＝Ｆduty＿MAXとなり、励磁電流駆動Ｆduty1で励磁電流駆動デューティＦduty＿NEWが設定されるので、発電機出力電圧ＶＢが調整電圧Ｖregになるように制御する「電圧制御モード」で動作することになる。
【００３３】
このとき、電気負荷４が投入された場合には、発電機端子電圧（発電機出力電圧ＶＢ）が低下して励磁電流駆動デューティＦduty1が１００％になり、Ｆduty＿LRC+α＜Ｆduty1＜Ｆduty2＝Ｆduty＿MAXとなり、徐励制御デューティＦduty＿LRC+αで励磁電流駆動デューティＦduty＿NEWが設定される。これにより、徐励制御が実施される。
【００３４】
これに対し、車両用発電機１のトルクを抑制するために励磁電流制限を実施する場合には、励磁電流制御目標値ＩＦ＿MAXが適切な値に設定されて、Ｆduty2＜Ｆduty1＜Ｆduty＿LRC+α＜Ｆduty＿MAXの関係を満たすと、励磁電流駆動デューティＦduty2が励磁電流駆動デューティＦduty＿NEWとして設定されるので、励磁電流が励磁電流制御目標値ＩＦ＿MAXよりも少なくなるように制御する「励磁電流制御モード」になる。
【００３５】
また、励磁電流駆動デューティを制限してトルクを抑制する場合には、Ｆduty制限目標値Ｆduty＿MAXが適切な値に設定されて、Ｆduty＿MAX＜Ｆduty1＜Ｆduty＿LRC+α＜Ｆduty2の関係を満たすと、Ｆduty制限目標値Ｆduty＿MAXが励磁電流駆動デューティＦduty＿NEWとして設定されて「Fduty制限モード」になる。
【００３６】
通常、上記のいずれかの制御モードで動作することになるが、電気負荷４が大きい場合には、発電抑制の制御により、電気負荷４が発電能力より大きく上回り、バッテリ電圧が大きく低下して、車両の電気負荷４が正常動作しない電圧付近まで下がることがある。このように発電機出力電圧ＶＢが低下した場合には、各種の発電抑制を段階的に解除し、発電機出力電圧ＶＢが所定の電圧を維持するように発電制御が行われる。次に、その動作を説明する。
【００３７】
（ステップ１００５、１００６）
発電電圧・励磁電流制御回路２０６は、発電機出力電圧ＶＢが発電低下検出電圧設定値ＶＬ１より低い否かの判定を行い、発電機出力電圧ＶＢの方が低い場合には肯定判断を行う。この場合は次のステップ１００６に移行し、発電電圧・励磁電流制御回路２０６は、励磁電流駆動デューティＦduty＿NEWを、ステップ１００４で設定された値ではなく、すなわち、励磁電流制御目標値ＩＦ＿MAXを用いて設定した励磁電流駆動デューティＦduty2を考慮した値ではなく、徐励制御デューティＦduty＿LRC+αとするとともに、徐励時間をＬＲＳ＿S＿Hとは異なるＬＲＳ＿S＿L（＜ＬＲＳ＿S＿H）に設定する。徐励時間を短い値に切り替えることにより、徐励制御を維持しつつも駆動デューティの増加速度を小から大に切り替えて、発電機出力電圧ＶＢの速やかな上昇を図っている。
【００３８】
（ステップ１００７、１００８）
次に、発電電圧・励磁電流制御回路２０６は、発電機出力電圧ＶＢが、ＶＬ１より低い発電低下検出電圧ＶＬ２よりさらに低いか否かの判定を行い、発電機出力電圧ＶＢの方が低い場合には肯定判断を行う。この場合はステップ１００８に移行し、発電電圧・励磁電流制御回路２０６は、励磁電流駆動デューティＦduty＿NEWを１００％とする。
【００３９】
これにより、発電機出力電圧ＶＢが発電低下検出電圧設定値ＶＬ１より低くなると励磁電流制御を含む発電抑制が解除されて、通常より速い徐励制御で発電が徐々に増加してゆく。再び発電機出力電圧ＶＢが発電低下検出電圧設定値ＶＬ１以上になると励磁電流制御を含む発電抑制が行われる。したがって、発電低下検出電圧設定値ＶＬ１付近で発電抑制と徐励制御の制御が交互に行われるので、発電低下検出電圧設定値ＶＬ１以下で励磁電流駆動デューティを１００％に設定する従来方式に比べ、励磁電流駆動デューティの変動が小さくなり、励磁電流の変動を小さくすることができ、発電機出力電圧変動やトルク変動を抑制することができる。また、徐励時間（徐例速度の増加速度である徐励速度）を通常とは異なる値に設定にすることにより、常に、最低作動電圧を、励磁電流変動が極力抑えられるように維持する最適な設定にすることができる。また、バッテリ３が劣化している場合には、電気負荷投入時に発電機出力電圧ＶＢが急激に低下して、上記徐励制御による発電量の増加では発電機出力電圧ＶＢの低下に追いつかない場合がある。このような状況で、バッテリ電圧が低下し、ＥＣＵ５など車両の走行に関する機器が誤動作する前に、発電低下検出電圧ＶＬ２で発電機端子電圧の低下を検出して、徐励制御も解除して励磁電流駆動デューティを１００％に設定することにより、急激な電圧低下に対処することができる。
【００４０】
（ステップ１００９）
次に、発電電圧・励磁電流制御回路２０６は、徐励制御記憶デューティＦduty＿LRCを更新するための処理を実施する。具体的には、まず、発電電圧・励磁電流制御回路２０６は、駆動デューティの平均値である平均Ｆdutyを表すＦduty＿AVを、ステップ１００４、１００６、１００８のいずれかで設定された励磁電流駆動デューティＦduty＿NEWをもとに、以下のなまし平均化処理を行って求める。
【００４１】
Ｆduty＿AV←Ｆduty＿NEW×（１／ＬＲＣ＿S）
＋Ｆduty＿AV×（ＬＲＣ＿S−１）／ＬＲＣ＿S
この演算は、徐励時間ＬＲＣ＿Sに対応するＦduty＿AVの値を最新の励磁電流駆動デューティＦduty＿NEWで更新するためのものであり、徐励時間ＬＲＣ＿Sにわたる平均値Ｆduty＿AVの値を、励磁電流駆動デューティＦduty＿NEWの値を１次フィルタを通して更新することに相当する。
【００４２】
（ステップ１０１０）
次に、発電電圧・励磁電流制御回路２０６は、Ｆduty＿AVがＦduty＿LRCよりも小さいか、または、カウンタＴの値がＬＲＣ＿Sと同じであるか否かを判定する。このカウンタＴは、徐励制御の経過時間をカウントするためのものであり、デジタル値で表された徐励時間ＬＲＣ＿Sと一致するか否かが判定される。
【００４３】
（ステップ１０１１）
Ｆduty＿AVの方がＦduty＿LRCよりも小さいときには肯定判断が行われ、次に、発電電圧・励磁電流制御回路２０６は、徐励制御記憶デューティＦduty＿LRCを減少させるため、Ｆduty＿AVをＦduty＿LRCに設定する。また、Ｆduty＿AVがＦduty＿LRC以上の場合でもカウンタＴの値がＬＲＣ＿Sと等しい場合には肯定判断が行われ、発電電圧・励磁電流制御回路２０６はＦduty＿AVをＦduty＿LRCに設定する。したがって、徐励制御記憶デューティＦduty＿LRCの増加時間は徐励時間ＬＲＣ＿Sで決定され、ＬＲＣ＿Sが大きくなると徐励制御デューティの増加時間も大きくなる。
【００４４】
（ステップ１０１２）
次に、発電電圧・励磁電流制御回路２０６は、徐励時間ＬＲＣ＿SとカウンタＴの値を比較するためにカウンタＴをカウントアップする。
【００４５】
このように、Ｆduty＿AVは徐励時間ＬＲＣ＿Sと励磁電流駆動デューティＦduty＿NEWの値に基づいて更新され、それに伴って徐励制御記憶デューティＦduty＿LRCの値の更新される。そして、Ｆduty＿LRCの値が更新されると、この値に＋αを加算して決定される徐励制御デューティＦduty＿LRC+αの値も更新され、次の周期で励磁電流駆動デューティＦduty＿NEWの値を設定する際にこの更新されたＦduty＿LRC+αの値が用いられる。また、Ｆduty＿AVは徐励時間ＬＲＣ＿Sと励磁電流駆動デューティＦduty＿NEWの値に基づいて更新されるため、Ｆduty＿NEWの値が同じであっても徐励時間ＬＲＣ＿Sが短い方がＦduty＿AVの値が大きく変化し、Ｆduty＿LRCおよびＦduty＿LRC+αの増加量も大きくなる。
【００４６】
（ステップ１０１３）
次に、発電電圧・励磁電流制御回路２０６は、励磁電流駆動デューティＦduty＿NEWの値に応じた駆動デューティにてＭＯＳ−ＦＥＴ２０１をＰＷＭ制御にてオン／オフ制御する。以上の動作手順は５ｍｓ毎に実施され、励磁電流駆動デューティＦduty＿NEWの値がこの周期で更新される。
【００４７】
このように、本実施形態の車両用発電制御装置２では、車両用発電機１の出力電圧が第３の設定値である発電低下検出電圧設定値ＶＬ２まで低下する前に第２の設定値である発電低下検出電圧設定値ＶＬ１まで低下したときに、励磁電流制御を解除することにより出力電圧の低下を抑制して出力電圧の安定性を確保することができ、しかも、徐励制御を継続することにより、急激なトルク増大を抑制してエンジン回転の安定性を確保することができる。
【００４８】
また、励磁電流制御を励磁電流が励磁電流制御目標値ＩＦ＿MAXに近づくように励磁電流を制限することにより、電気負荷投入時等に励磁電流を適切な値に制御することが可能となる。また、励磁電流制御をＭＯＳ−ＦＥＴ２０１の駆動デューティを制限することにより、励磁電流制御と徐励制御とで処理内容を共通化することができ、構成の簡略化が可能となる。
【００４９】
また、第２の設定値としての発電低下検出電圧設定値ＶＬ１を、エンジンを制御するＥＣＵ５以外の電気負荷４が正常に動作する範囲の下限値以上に設定することにより、各種の電気負荷４の正常動作を確保することができる。
【００５０】
また、第３の設定値としての発電低下検出電圧設定値ＶＬ２を、ＥＣＵ５の動作が保証される最低動作電圧以上に設定することにより、ＥＣＵ５の安定的な動作を確実に確保することができる。
【００５１】
また、上述した徐励制御における駆動デューティの増加速度を、発電機出力電圧ＶＢが発電低下検出電圧設定値ＶＬ１より高いときよりも低いときの方が大きな値に設定しているため、発電機出力電圧ＶＢが調整電圧Ｖregよりも低くなったときに徐励制御を行ってエンジン回転の安定性を確保することができるとともに、発電低下検出電圧設定値ＶＬ１よりも低くなったときに速やかにこのＶＬ１まで上昇させることができる。
【００５２】
図３は、発電抑制状態において電気負荷が投入された場合の各部の状態を示すタイミング図である。図３および後述する図４において、点線は従来技術による発電制御を行った場合を、実線は本実施形態の車両用発電制御２による発電制御を行った場合をそれぞれ示している。
【００５３】
励磁電流制御が実施され、発電機出力電圧ＶＢは、調整電圧Ｖregより低い値となる。この状態で電気負荷４が投入されると、さらに発電機出力電圧ＶＢが低下する。従来技術では、発電低下検出電圧設定値ＶＬ１以下になると、励磁駆動デューティの制限値が１００％になるので、発電低下検出電圧設定値ＶＬ１への復帰は早いが、オーバーシュートが発生して、励磁電流ＩＦの脈動が発生し、電圧変動およびトルクの変動が大きくなる。これに対し、本実施形態の車両用発電制御装置２では、発電機出力電圧ＶＢが発電低下検出電圧設定値ＶＬ１以下になると励磁電流制御による発電抑制が解除されて、徐励制御による動作で励磁駆動デューティ（Ｆデューティ）および車両用発電機１の発電量が増加していって、発電低下検出電圧設定値ＶＬ１付近で制御される。
【００５４】
図４は、電圧制御状態から発電抑制を実施した場合の各部の状態を示すタイミング図である。最初の電圧制御状態では、発電機出力電圧ＶＢが調整電圧Ｖregになるように励磁電流ＩＦが制御されている。この状態でトルク制限のための励磁電流制限が実施されて車両用発電機１の発電能力が低下し、電気負荷量以下になるとバッテリ３が放電し、発電機出力電圧ＶＢは、調整電圧Ｖregより低い値に低下する。この状態が継続し、発電機出力電圧ＶＢが発電低下検出電圧設定値ＶＬ１以下になると、従来技術では、励磁駆動デューティの制限値が１００％になるので、発電低下検出電圧設定値ＶＬ１への復帰は早いが、オーバーシュートが発生して、励磁電流ＩＦの脈動が発生し、電圧変動およびトルクの変動が大きくなる。これに対し、本実施形態の車両用発電制御装置２では、発電機出力電圧ＶＢが発電低下検出電圧設定値ＶＬ１以下になると励磁電流制御による発電抑制が解除されて、徐励制御による動作で励磁駆動デューティ（Ｆデューティ）および車両用発電機１の発電量が増加していって発電低下検出電圧設定値ＶＬ１付近で制御される。
【００５５】
なお、本発明は上記実施形態に限定されるものではなく、本発明の要旨の範囲内において種々の変形実施が可能である。例えば、上述した実施形態では、発電機出力電圧ＶＢが発電低下検出電圧設定値ＶＬ１よりも低いか否かで徐励時間を切り替えたが、切り替えは行わずに一定の徐励時間としてもよい。
【図面の簡単な説明】
【００５６】
【図１】一実施形態の車両用発電制御装置の構成を示す図である。
【図２】車両用発電制御装置による発電制御の動作手順を示す流れ図である。
【図３】発電抑制状態において電気負荷が投入された場合の各部の状態を示すタイミング図である。
【図４】電圧制御状態から発電抑制を実施した場合の各部の状態を示すタイミング図である。
【符号の説明】
【００５７】
１  車両用発電機
２  車両用発電制御装置
３  バッテリ
４  電気負荷
５  ＥＣＵ
２０１  ＭＯＳ−ＦＥＴ
２０２  環流ダイオード
２０３  センス抵抗
２０４  通信制御回路
２０５  電源回路
２０６  発電電圧・励磁電流制御回路
２０７  励磁電流検出回路
２０８  回転検出回路
【図１】
2010088239.tif 000003
【図２】
2010088239.tif 000004
【図３】
2010088239.tif 000005
【図４】
2010088239.tif 000006